(57)【要約】【課題】ケーブルを確実にスプレッダなどの荷物吊持具側の所定位置に案内し得るケーブル案内装置を提供する。【解決手段】横行台車５からワイヤ６ａを介して昇降自在に設けられたコンテナ吊持用のスプレッダ８に電源等を供給するためのケーブル９の案内装置１２であって、横行台車５側に設けられるとともに当該横行台車５からスプレッダ８に垂下されたケーブル９を挿通し案内するための複数個の筒状部材３３（３３Ａ〜３３Ｃ）を入れ子式に設けて伸縮自在に構成するとともに、横行台車５側に設けられたウインチ装置３２のワイヤ３２ａを最下端の筒状部材３３Ｃに連結して、スプレッダ８の昇降に応じて筒状部材３３を伸縮させるようにしたものである。【選択図】      図２
2005008370.tif 000002
【特許請求の範囲】
【請求項１】
吊持体から索体を介して昇降自在に設けられた荷物吊持具に電源等を供給するためのケーブルの案内装置であって、
吊持体側に設けられるとともに当該吊持体から荷物吊持具に垂下されたケーブルを挿通し案内するための複数個の筒状部材を入れ子式に設けて伸縮自在に構成したことを特徴とする荷物吊持具におけるケーブル案内装置。
【請求項２】
吊持体から索体を介して昇降自在に設けられた荷物吊持具に電源等を供給するためのケーブルの案内装置であって、
吊持体側に設けられるとともに当該吊持体から荷物吊持具に垂下されたケーブルを挿通し案内するリング部がそれぞれ下端に設けられた複数個の出退部材を入れ子式に設けて伸縮自在に構成したことを特徴とする荷物吊持具におけるケーブル案内装置。
【請求項３】
筒状部材または出退部材を伸縮させる伸縮装置を具備させたことを特徴とする請求項１または２に記載の荷物吊持具におけるケーブル案内装置。
【請求項４】
伸縮装置を、一端部が筒状部材または出退部材の下端部に連結された索体と、この索体を巻取り繰出し自在な巻取ドラムとから構成したことを特徴とする請求項２または３に記載の荷物吊持具におけるケーブル案内装置。
【発明の詳細な説明】
【０００１】
【発明の属する技術分野】
本発明は、例えばコンテナの荷役装置に具備されるスプレッダなどの荷物吊持具におけるケーブル案内装置に関するものである。
【０００２】
【従来の技術】
コンテナの荷役装置、例えばコンテナクレーンには、コンテナを吊持するためのスプレッダが具備されるとともに、このスプレッダには、コンテナに係脱自在なツイストロックなどの把持具が具備されており、またこれら把持具を作動させるための電源供給用および制御信号伝送用のケーブル（電線）が設けられている。
【０００３】
ところで、コンテナの荷役作業においては、コンテナはかなりの高さでもって昇降されるため、上記ケーブルについてもそれだけの長さを必要とするとともに、スプレッダ側には、例えば門型クレーン上を横行自在に横行台車から垂れ下がったケーブルを収納するためのケーブル収納装置が具備されている。
【０００４】
従来、この種のケーブル収納装置としては、スプレッダの上面に所定高さでもって立設された円筒状のバスケットと、このバスケットの周囲から所定高さでもって上方に立設されるとともに中央にケーブルの案内口が形成されてなる円錐形台形状の案内枠状体とが具備されたものがある（例えば、特許文献１参照）。
【０００５】
【特許文献１】
特開２００１−１６３５８４号公報
【０００６】
【発明が解決しようとする課題】
ところで、上記ケーブル収納装置の構成によると、案内枠状体のケーブルの案内口は円錐台形状の頂部でありその口径が小さくされているため、スプレッダの上昇時に、すなわちケーブルの案内枠状体への収納時に、風によりあおられると、ケーブルが案内口から外れて当該収納装置の外に出てしまい、ケーブルが損傷するおそれがあった。
【０００７】
そこで、本発明は、ケーブルを確実にスプレッダなどの荷物吊持具側の所定位置に案内し得る荷物吊持具におけるケーブル案内装置を提供することを目的とする。
【０００８】
【課題を解決するための手段】
上記課題を解決するために、本発明の請求項１に係る荷物吊持具におけるケーブル案内装置は、吊持体から索体を介して昇降自在に設けられた荷物吊持具に電源等を供給するためのケーブルの案内装置であって、
吊持体側に設けられるとともに当該吊持体から荷物吊持具に垂下されたケーブルを挿通し案内するための複数個の筒状部材を入れ子式に設けて伸縮自在に構成したものである。
【０００９】
また、請求項２に係る荷物吊持具におけるケーブル案内装置は、吊持体から索体を介して昇降自在に設けられた荷物吊持具に電源等を供給するためのケーブルの案内装置であって、
吊持体側に設けられるとともに当該吊持体から荷物吊持具に垂下されたケーブルを挿通し案内するリング部がそれぞれ下端に設けられた複数個の出退部材を入れ子式に設けて伸縮自在に構成したものである。
【００１０】
上記請求項１または請求項２に係るケーブル案内装置の構成によると、吊持体側に、ケーブルを挿通し案内する複数個の筒状部材またはリング部を有する複数個の出退部材を伸縮自在に設けたので、荷物吊持具の上昇時にケーブルを荷物吊持具側に収納させる際に、ほぼ真っ直ぐに案内させることができ、したがってケーブルが荷物吊持具側に設けられた収納部から外にはみ出るのを抑制してケーブルが損傷するのを防止し得る。
【００１１】
また、請求項３に係る荷物吊持具におけるケーブル案内装置は、請求項１または２に記載の案内装置において、筒状部材または出退部材を伸縮させる伸縮装置を具備させたものである。
【００１２】
さらに、請求項４に係る荷物吊持具におけるケーブル案内装置は、請求項２または３に記載の案内装置における伸縮装置を、一端部が筒状部材または出退部材の下端部に連結された索体と、この索体を巻取り繰出し自在な巻取ドラムとから構成したものである。
【００１３】
また、請求項３または請求項４に係るケーブル案内装置の構成によると、筒状部材または出退部材を伸縮させる伸縮装置を設けたので、荷物吊持具の昇降に応じてその伸縮量を調整することができ、したがってケーブルの案内をより確実に行い得る。
【００１４】
【発明の実施の形態】
以下、本発明の実施の形態に係る荷物吊持具におけるケーブル案内装置を、図１〜図３に基づき説明する。
【００１５】
本実施の形態におけるケーブル案内装置としては、例えばコンテナヤードに配置された自走式のコンテナクレーン（コンテナ荷役装置）に昇降自在に設けられてコンテナを吊持し得るスプレッダ（荷物吊持具の一例）に、電源、制御信号など（電源等）を供給するためのケーブル（電線）を案内するものとして説明する。
【００１６】
まず、コンテナクレーンについて、図１および図２に基づき簡単に説明する。
このコンテナクレーン１は、それぞれ前後に走行車輪２が設けられた左右一対の脚部３およびこれら両脚部３間に亘って設けられて鉛直部４ａおよび水平部４ｂからなる門型フレーム４と、この門型フレーム４の水平部４ｂに左右方向で移動自在に、すなわち横行自在に設けられた横行台車（吊持体の一例）５と、この横行台車５から昇降装置６を介して昇降自在に設けられるとともに四隅に設けられた把持具（例えば、保持用フック、ツイストロックなど）７を介してコンテナＣを吊持し得るスプレッダ８とから構成されている。なお、上記昇降装置６は、例えばワイヤ（索体）６ａを巻取り・繰出し自在な巻取ドラムを有するウインチ装置が用いられている。
【００１７】
そして、上記横行台車５とスプレッダ８との間には、把持具７を作動させるための電源、制御信号などを供給するための所定長さのケーブル９が設けられるとともに、スプレッダ８側には、ケーブル９を収納し得るケーブル収納装置１１が設けられ、さらに横行台車５側には、ケーブル９を真っ直ぐに下方に案内させるためのケーブル案内装置１２が設けられている。
【００１８】
上記ケーブル収納装置１１は、図３に示すように、中央にコーン状のガイド部材２１が配置されてケーブル９を渦巻き状に案内しその周囲に収納するためのケーブル収納体（ケーブルバスケットともいう）２２と、このケーブル収納体２２の内面から立設されてケーブル９を当該ケーブル収納体２２内に導くための円錐台形状に形成された案内枠状体２３とから構成されている。
【００１９】
さらに、上記ケーブル案内装置１２は、図２に示すように、横行台車５の下面に垂下して設けられてケーブル９を挿通し案内するための伸縮式ガイド体３１と、同じく横行台車５側に配置されて上記伸縮式ガイド体３１の伸縮量を調節し得る伸縮量調整装置としてのウインチ装置３２とから構成されている。
【００２０】
上記伸縮式ガイド体３１は、径が異なる３個の中空の筒状部材３３が入れ子式（３段）に配置されたもので（勿論、３個（３段）に限定されるものではない）、横行台車５の下面に上端が固定された大径の第１筒状部材３３Ａと、当該第１筒状部材３３Ａの下端開口から出退可能に挿入された中径の第２筒状部材３３Ｂと、この第２筒状部材３３Ｂの下端開口から出退可能に挿入された小径の第３筒状部材３３Ｃとから構成されている。なお、上記第２筒状部材３３Ｂは第１筒状部材３３Ａに対して、また上記第３筒状部材３３Ｃは第２筒状部材３３Ｂに対してそれぞれ昇降自在（出退自在）に設けられるとともに、最も下方に突出した位置においては、それぞれに設けられたストッパ（図示せず）により、その突出位置が維持されるようにしている。また、上記ウインチ装置３２は、ワイヤ（索体の一例）３２ａが巻き取られた巻取ドラム３２ｂと、この巻取ドラム３２ｂを回転させる電動機（図示せず）とから構成されるとともに、ワイヤ３２ａの先端が第３筒体部材３３Ｃの下端に突設された連結板３４に連結されており、さらにこのウインチ装置３２は、スプレッダ８の下降量すなわち横行台車５に対する距離（高さ）に応じて制御される。なお、伸縮式ガイド体３１の伸縮動作については、ケーブル収納装置１１の案内枠状体２３の上面からの距離が一定距離Ｌより短くなった場合に行われる。勿論、この一定距離Ｌは、ワイヤ３２ａに対するガイドがない場合でも、案内枠状体２３の案内口２３ａからワイヤ３２ａがはみ出さないような距離にされている。
【００２１】
上記構成において、コンテナＣを吊り上げる場合、門型フレーム４をコンテナＣ上に走行させた後、昇降装置６のワイヤ６ａを繰出しスプレッダ８を下降させてコンテナＣの上面に載置させ、そして把持具７をコンテナＣに係合させる。
【００２２】
勿論、スプレッダ８の下降に合わせて、当然に、ケーブル収納装置１１内に渦巻き状に収納されているケーブル９が上方に引き出されることになるが、これと同時に、ウインチ装置３２が駆動されてワイヤ３２ａが繰り出され伸縮式ガイド体３１が伸ばされて、ケーブル９が案内枠状体２３の案内口２３ａから外方にたるまないように案内される。
【００２３】
そして、把持具７によりコンテナＣが保持されると、昇降装置６によりスプレッダ８を上昇させる。
この上昇に合わせて、ケーブル９の下端側は、ケーブル収納体２２内に且つガイド部材２１の周囲に渦巻き状に収納されるとともに、ウインチ装置３２により、伸縮式ガイド体３１も縮められて、その下端と案内枠状体２３との距離が一定距離Ｌとなるように維持されている。すなわち、案内枠状体２３の案内口２３ａ内への案内に必要となる最少距離Ｌが保たれている。
【００２４】
このように、横行台車５側に、ケーブル９を案内し得る入れ子式筒状部材３３よりなる伸縮式ガイド体３１を設けたので、スプレッダ８の上昇時に、ケーブル９をケーブル収納装置１１の案内枠状体２３内に導く際に、当該案内枠状体２３の案内口２３ａに確実に案内させることができ、したがってケーブル９が外にはみ出るのを防止してケーブル９が損傷するのを防止することができる。
【００２５】
ところで、上記実施の形態においては、伸縮式ガイド体３１を伸縮させるのに、ウインチ装置３２を用いたが、例えばラック・ピニオン機構を用いて行うこともできる。
【００２６】
また、上記実施の形態においては、伸縮式ガイド体３１を伸縮させるのに、ウインチ装置３２を用いたが、単に、伸縮式ガイド体３１を横行台車５から垂下させて設けるようにしてもよい。この場合、スプレッダ８が上昇された際に、最下段の第３筒状部材３３Ｃがケーブル案内装置１１の案内枠状体２３の案内口２３ａに当接することにより、当該スプレッダ８の昇降に応じて伸縮が行われる。
【００２７】
さらに、上記実施の形態においては、ケーブル９を案内する伸縮式ガイド体３１を周囲が囲まれた円筒状の筒状部材３３により構成したが、図４に示すように、例えば３段にて伸縮自在に設けられた吊り竿形式の各棒状部材（出退部材の一例で、勿論、横行台車５側の第１，第２棒状部材４１Ａ，４１Ｂは中空の筒状であり、先端側の第３棒状部材４１Ｃは中実の棒状にされている）４１の下端に、ケーブル９を挿通し案内させ得るリング部４２を設けたものであってもよい。勿論、この場合においても、筒状部材３３よりなる伸縮式ガイド体３１と同様の効果が得られる。
【００２８】
【発明の効果】
以上のように本発明の請求項１または請求項２に係るケーブル案内装置の構成によると、吊持体側に、ケーブルを挿通し案内する複数個の筒状部材またはリング部を有する複数個の出退部材を伸縮自在に設けたので、荷物吊持具の上昇時にケーブルを荷物吊持具側に収納させる際に、ほぼ真っ直ぐに案内させることができ、したがってケーブルが荷物吊持具側に設けられた収納部から外にはみ出るのを抑制してケーブルが損傷するのを防止することができる。
【００２９】
また、請求項３または請求項４に係るケーブル案内装置の構成によると、筒状部材または出退部材を伸縮させる伸縮装置を設けたので、荷物吊持具の昇降に応じてその伸縮量を調整することができ、したがってケーブルの案内をより確実に行うことができる。
【図面の簡単な説明】
【図１】本発明の実施の形態に係るケーブル案内装置が具備されたコンテナクレーンの概略構成を示す斜視図である。
【図２】同コンテナクレーンの要部側面図である。
【図３】同コンテナクレーンにおけるケーブル収納装置の概略構成を示す斜視図である。
【図４】同コンテナクレーンにおけるケーブル案内装置の変形例を示す斜視図である。
【符号の説明】
１      コンテナクレーン
５      横行台車
６      昇降装置
７      把持具
８      スプレッダ
９      ケーブル
１１      ケーブル収納装置
１２      ケーブル案内装置
３１      伸縮式ガイド体
３２      ウインチ装置
３２ａ    ワイヤ
３２ｂ    巻取ドラム
３３      筒状部材
３４      連結板
４１      棒状部材
４２      リング部
【図１】
2005008370.tif 000003
【図２】
2005008370.tif 000004
【図３】
2005008370.tif 000005
【図４】
2005008370.tif 000006